(57)【要約】【課題】煩雑な操作を必要とせず、ユーザの予定に関連し、ユーザにとって有用な関連情報を、ユーザに提示する。【解決手段】日付情報を有するイベント情報がスケジュールに登録された場合に、当該イベント情報に関連する関連情報を表示部に表示し、上記関連情報は、上記イベント情報が有する日付情報が示す日以前の日付を有している。【選択図】図１
2019193035.tif 000002
【特許請求の範囲】
【請求項１】
表示部と、制御部とを備えたテレビジョン受像器であって、
上記制御部は、
日付情報を有するイベント情報がスケジュールに登録された場合に、当該イベント情報に関連する関連情報を上記表示部に表示し、
上記関連情報は、
上記イベント情報が有する日付情報が示す日以前の日付を有している
ことを特徴とするテレビジョン受像器。
【請求項２】
上記制御部は、上記関連情報と共に、当該関連情報が、上記イベント情報に関連することを示す情報を上記表示部に表示する
ことを特徴とする請求項１に記載のテレビジョン受像器。
【請求項３】
上記制御部は、上記イベント情報が登録された場合、当該テレビジョン受像器の電源がオンにされたことを契機として上記関連情報を表示する
ことを特徴とする請求項１又は２に記載のテレビジョン受像器。
【請求項４】
上記制御部は、上記イベント情報の上記スケジュールへの登録に関するユーザ指示を受け付けたタイミングで上記関連情報を表示する
ことを特徴とする請求項１から３の何れか１項に記載のテレビジョン受像器。
【請求項５】
上記関連情報は、当該テレビジョン受像器の地域情報、ユーザの行動の自由度を示す自由度情報、ユーザの傾向を示す傾向情報、及びユーザの人間関係を示す人間関係情報の少なくとも何れかに関連する情報であり、
上記制御部は、
予め設定された登録内容に応じて、上記関連情報のうち、上記地域情報、上記自由度情報、上記傾向情報、及び上記人間関係情報の少なくとも何れか一つを含む関連情報を表示する
ことを特徴とする請求項１から４の何れか１項に記載のテレビジョン受像器。
【請求項６】
請求項１に記載のテレビジョン受像器の制御部としてコンピュータを機能させるための制御プログラム。
【請求項７】
請求項６に記載の制御プログラムを記録したコンピュータ読み取り可能な記録媒体。
【発明の詳細な説明】
【技術分野】
【０００１】
本発明は、テレビジョン受像器、制御プログラム、及び記録媒体に関する。
【背景技術】
【０００２】
従来、ユーザの状況に応じて、ユーザの予定上の空き時間に、遂行すべきタスクをユーザに推奨するスケジュール管理技術が知られている（例えば、特許文献１参照）。
【０００３】
また、ユーザの複数のイベントが登録されたスケジュール情報を参照して、所定のイベントの日時よりも前の施設の空き情報を提示する技術が知られている（例えば、特許文献２参照）。
【先行技術文献】
【特許文献】
【０００４】
【特許文献１】特開２００６−１５５３６８号公報（２００６年６月１５日公開）
【特許文献２】特開２０１５−１９５０１５号公報（２０１５年１１月５日公開）
【発明の概要】
【発明が解決しようとする課題】
【０００５】
ところで、ユーザの予定を設定することができるテレビジョン受像器がある。これらのテレビジョン受像器では、ユーザは、予定が登録された予定表を表示部に表示することで、予定を確認することができる。一方で、設定した予定に関連した情報についても、煩雑な操作を必要とすることなく確認したいというユーザの要望があった。
【０００６】
特許文献１には、ユーザのスケジュールに応じて、ユーザが期限とともに登録したタスクのうち、遂行すべきタスクと、遂行する時間とを進める技術が開示されている。しかしながら、ユーザが登録したタスク、又はタスクを分割したサブタスク以外の情報をユーザに提供することはできなかった。
【０００７】
また、特許文献２には、イベントに備えて事前に施設の予約を取ることができる技術が開示されているが、施設の予約以外のイベントに関連する情報をユーザに提供することはできなかった。
【０００８】
本発明の一態様は、上述した事情に鑑みてなされたものであり、煩雑な操作を必要とせず、ユーザの予定に関連し、ユーザにとって有用な関連情報を、ユーザに提示する技術を実現することを目的とする。
【課題を解決するための手段】
【０００９】
上記の課題を解決するために、本発明の一態様に係るテレビジョン受像器は、表示部と、制御部とを備えたテレビジョン受像器であって、上記制御部は、日付情報を有するイベント情報がスケジュールに登録された場合に、当該イベント情報に関連する関連情報を上記表示部に表示し、上記関連情報は、上記イベント情報が有する日付情報が示す日以前の日付を有している構成である。
【発明の効果】
【００１０】
本発明の一態様によれば、煩雑な操作を必要とせず、ユーザがスケジュールに登録したイベント情報に関連する、ユーザにとって有用な関連情報を、ユーザに提示することができる。
【図面の簡単な説明】
【００１１】
【図１】本発明の実施の形態に係るテレビジョン受像器、情報処理装置、及びスケジュールサーバ、の概略構成を示すブロック図である。
【図２】テレビジョン受像器の構成を模式的に示した図である。
【図３】情報処理装置、テレビジョン受像器、及びスケジュールサーバ間での情報の流れを示すシーケンス図である。
【図４】情報処理装置の制御部の処理の流れの一例を示すフローチャートである。
【図５】情報処理装置の制御部の処理の流れの一例を示すフローチャートである。
【図６】（ａ）、（ｂ）はイベント情報の表示例を示す図である。
【図７】関連情報の表示例を示す図である。
【図８】（ａ）〜（ｃ）はイベント情報と、関連情報との表示例を示す図である。
【図９】（ａ）〜（ｃ）関連情報を含むカードの具体例を示す図である。
【図１０】（ａ）〜（ｃ）関連情報を含むカードの具体例を示す図である。
【図１１】（ａ）〜（ｃ）関連情報を含むカードの具体例を示す図である。
【図１２】（ａ）、（ｂ）関連情報を含むカードの具体例を示す図である。
【図１３】表示部に表示される設定画面の一例を示す図である。
【発明を実施するための形態】
【００１２】
以下、本発明の実施の形態について、詳細に説明する。
【００１３】
図１は、本発明の実施の形態に係るテレビジョン受像器（表示装置）５０と、テレビジョン受像器５０に接続される情報処理装置１と、スケジュールサーバ８０と、の概略構成を示すブロック図である。図２は、テレビジョン受像器５０の構成を模式的に示した図である。
【００１４】
〔テレビジョン受像器５０の構成〕
図１、及び図２に示すように、テレビジョン受像器５０は、受像器通信部５５、受像器制御部６０、表示部６５、操作部６６、及び受像器記憶部６７を備えている。テレビジョン受像器５０は、不図示のチューナを備え、チューナを介して受信したデータストリームに応じた画像を表示部６５に表示する。表示部６５は、例えば、液晶ディスプレイ、有機ＥＬ（Electro Luminescence）ディスプレイ（ＯＬＥＤ）、及びプラズマディスプレイ等のディスプレイデバイスである。
【００１５】
なお、本実施形態では、放送波を受信するチューナを備えたテレビジョン受像器５０を、表示装置の一例としてあげて説明しているが、チューナを備えない表示装置を、情報処理装置１、及びスケジュールサーバ８０と、接続して、本実施形態の構成を実現してもよい。
【００１６】
操作部６６は、テレビジョン受像器５０に一体に設けられた不図示の操作ボタン等であってもよいし、テレビジョン受像器５０とは別体のリモコン（リモートコントローラ）やスマートフォン等であってもよい。
【００１７】
受像器記憶部６７は、受像器制御部６０で用いられる種々のデータを格納するストレージである。受像器記憶部６７は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。
【００１８】
受像器通信部５５は、無線通信または有線通信によって、インターネット等のネットワークに接続可能に構成され、ネットワークを介して情報処理装置１、及びスケジュールサーバ８０に接続される。受像器通信部５５は、テレビジョン受像器５０が有する地域情報を外部に送信する送信部として機能する。
【００１９】
受像器制御部６０は、テレビジョン受像器５０の各部を統括的に制御する機能を備えている演算装置である。
【００２０】
〔受像器制御部６０の機能ブロックについて〕
受像器制御部６０は、スケジュール登録部６１、関連情報取得部６２、及び表示制御部６３を備えている。
【００２１】
スケジュール登録部６１は、テレビジョン受像器５０が、スケジュールサーバ８０との間でデータ連携を行うためのアプリケーションである。
【００２２】
スケジュール登録部６１は、イベント情報のスケジュールへの登録に関するユーザ指示を受け付け、当該イベント情報を登録する。イベント情報は、イベントの日時などの情報である日付情報を有しており、日付情報に応じて日時毎に登録される。
【００２３】
関連情報取得部６２は、テレビジョン受像器５０が、情報処理装置１との間でデータ連携を行うためのアプリケーションである。
【００２４】
関連情報取得部６２は、イベント情報のスケジュールへの登録に関するユーザ指示に応じて、イベント情報に関連する情報である関連情報を外部から、受像器通信部５５を介して取得する。本実施形態では、関連情報取得部６２は、イベント情報、及び関連情報を情報処理装置１から取得する。関連情報取得部６２は、関連情報を受像器記憶部６７に記憶された情報から抽出して取得してもよい。関連情報は、イベント情報に関連する情報であって、イベント情報が有する日付情報が示す日以前の日付を有する情報である。
【００２５】
ユーザの操作部６６への操作によって登録された予定は、スケジュール登録部６１の機能によって、スケジュールサーバ８０に登録され、スケジュールサーバ８０で管理される。なお、イベント情報の登録は、関連情報取得部６２として機能するアプリケーションと、スケジュール登録部６１として機能するアプリケーションとの間の通信を経由して行われる。例えば、関連情報取得部６２として機能するアプリケーションが、スケジュール登録部６１として機能するアプリケーションのＡＰＩをコールすることで、イベント情報の登録がスケジュールサーバ８０に対して行われる構成であってもよい。
【００２６】
表示制御部６３は、表示部６５を制御して、スケジュール登録部６１によって登録されたイベント情報と、関連情報取得部６２によって取得された関連情報と、を表示部６５に表示する。
【００２７】
〔情報処理装置１の構成〕
情報処理装置１は、通信部２０、制御部１０、及び記憶部３０を備えている。
【００２８】
通信部２０は、無線通信または有線通信によってテレビジョン受像器５０、及びスケジュールサーバ８０と通信する。なお、図１には、１つのテレビジョン受像器５０のみを示しているが、情報処理装置１は、通信部２０を介して、１又は複数のテレビジョン受像器５０と通信可能に構成されている。
【００２９】
制御部１０は、情報処理装置１の各部を統括的に制御する機能を備えている演算装置である。制御部１０は、関連情報生成部１１を備え、イベント情報のスケジュールへの登録に関するユーザ指示に応じて、イベント情報に関連する関連情報を生成し、通信部２０を介してテレビジョン受像器５０に送信する。
【００３０】
記憶部３０は、制御部１０で用いられる種々のデータを格納するストレージである。記憶部３０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。
【００３１】
記憶部３０には、メタ情報３１、機器情報３２、視聴ログ３３、イベント情報３４、傾向情報３５、人間関係情報３６が記憶されている。
【００３２】
メタ情報３１は、テレビ番組のコンテンツに関する情報であり、番組内で紹介された商品やお店の情報等を含んでいる。
【００３３】
機器情報３２は、情報処理装置１から情報の提供を受けるために予め登録された１又は複数のテレビジョン受像器５０に関する情報が含まれている。機器情報３２には、テレビジョン受像器５０のそれぞれに固有の端末ＲＡＭ−ＩＤと、当該端末ＲＡＭ−ＩＤのテレビジョン受像器５０を利用するユーザの会員ＩＤと、が含まれている。情報処理装置１の制御部１０は、端末ＲＡＭ−ＩＤ、及びユーザの会員ＩＤの少なくとも何れかを用いて対象のテレビジョン受像器５０を識別する。
【００３４】
また、機器情報３２には、各テレビジョン受像器５０の設置場所を示す地域情報が含まれている。地域情報は、例えば、市町村名や、郵便番号、住所などの情報であってもよい。また、機器情報３２には、ユーザの性別や年齢、趣味等のプロフィール情報が含まれていてもよい。
【００３５】
情報処理装置１の制御部１０は、テレビジョン受像器５０がイベント情報、及び関連情報の提供を受ける対象機器として登録される際に、端末ＲＡＭ−ＩＤ、ユーザの会員ＩＤ、及び地域情報等の情報を、通信部２０を介して、テレビジョン受像器５０から取得する。情報処理装置１の制御部１０は、テレビジョン受像器５０から取得した機器情報を、夫々の端末ＲＡＭ−ＩＤに対応付けて機器情報３２として記憶部３０に記憶する。
【００３６】
視聴ログ３３は、テレビジョン受像器５０から取得される、テレビジョン受像器５０の視聴履歴に関する情報であり、各テレビジョン受像器５０に端末ＲＡＭ−ＩＤに対応付けて記憶されている。
【００３７】
イベント情報３４は、スケジュールサーバ８０から定期的に提供される、種々のイベントに関する情報である。イベント情報３４には、イベントの名称、イベントの日付、イベントの地域、イベントの内容等の情報が含まれている。
【００３８】
傾向情報３５は、テレビジョン受像器５０から取得される、テレビジョン受像器の動作履歴を参照して取得できる情報であり、ユーザの会員ＩＤに対応付けられて、ユーザの過去の行動履歴、行動パターン、視聴履歴、機器の使用履歴に関する情報が含まれている。また、傾向情報３５には、ユーザの行動履歴や行動パターンに基づいて、ユーザの休日に関する情報が含まれていてもよい。また、傾向情報３５には、ユーザの性別や年齢、趣味等のプロフィール情報が含まれていてもよい。
【００３９】
人間関係情報３６は、スケジュールサーバ８０から取得される情報に基づいて記憶される情報であり、ユーザの家族構成、家族情報、友人情報がユーザの会員ＩＤに対応付けて記憶されている。
【００４０】
関連情報生成部１１は、詳細については後述するが、記憶部３０に記憶されているメタ情報３１、機器情報３２、視聴ログ３３、イベント情報３４、傾向情報３５、及び人間関係情報３６を参照して、対象のテレビジョン受像器５０に送信するイベント情報に関連する関連情報を生成する。メタ情報３１、機器情報３２、視聴ログ３３、イベント情報３４、傾向情報３５、及び人間関係情報３６には、例えば、下記に示した情報が含まれている。
【００４１】
（メタ情報３１）
・番組名称
・番組のジャンル
・番組の出演者
・番組で紹介された商品
・番組で紹介された店舗
・番組で紹介された地域
・番組中に放送されたＣＭで紹介された商品
（機器情報３２）
・機器ＩＤ
・機器の種類
・機器のユーザのユーザＩＤ
・機器の設置位置（設置地域）
（視聴ログ３３）
・機器ＩＤ
・番組名称
・番組のジャンル
・日付（日にち、曜日、時間）
・放送地域
（イベント情報３４）
・イベント名称
・種別（祭り、スポーツ、ゴミ出し）
・日付（日にち、曜日、時間、時間帯）
・地域
（傾向情報３５）
・ユーザＩＤ
・行動履歴
・視聴履歴
・行動パターン（テレビジョン受像器５０の操作履歴、及び稼働履歴）
・日付
・趣味
【００４２】
・興味
・性別
・年齢
（人間関係情報３６）
・ユーザＩＤ
・家族構成
・友人関係（各友人のユーザＩＤ）
関連情報生成部１１は、テレビジョン受像器５０の地域情報に加えて、過去に収集され記憶部３０に記憶された、ユーザに関連する種々のデータを参照して、ユーザの好み、行動傾向、人間関係などの情報に応じた、関連情報を生成する。
【００４３】
〔スケジュールサーバ８０の構成〕
スケジュールサーバ８０は、サーバ通信部８１、サーバ制御部９０、サーバ記憶部８５を備えている。
【００４４】
サーバ通信部８１は、無線通信または有線通信によってテレビジョン受像器５０、及びスケジュールサーバ８０と通信する。
【００４５】
サーバ制御部９０は、スケジュールサーバ８０の各部を統括的に制御する機能を備えている演算装置である。
【００４６】
サーバ記憶部８５には、イベント情報８６、及びスケジュール情報８７が記憶されている。イベント情報８６には、地域毎に異なる日に行われる行事や作業に関する情報が記憶されている。例えば、イベント情報８６には、地域、及び日付に対応付けて、祭り、催し、講習会、ごみ出しの日等に関する情報が記憶されている。また、イベント情報８６には、地域、及び日付に対応付けてお店のセールなどのイベントが含まれていてもよい。
【００４７】
スケジュール情報８７には、ユーザによって登録された、個人や家庭毎に異なる日に行われる作業やイベントに関する情報が記憶されている。例えば、スケジュール情報８７には、誕生日等のお祝いや、旅行などのイベントが日付に対応付けて記憶されている。
【００４８】
スケジュールサーバ８０は、スケジュール管理などのウェブアプリケーション（カレンダーサービス）を提供する事業者によって運営されるサーバである。スケジュールサーバ８０は、テレビジョン受像器５０に対する操作によってユーザによって登録されるスケジュールをスケジュール情報８７にユーザの会員ＩＤに対応付けて記憶する。
【００４９】
また、スケジュールサーバ８０は、情報処理装置１に対してイベント情報を提供する。スケジュールサーバ８０が、情報処理装置１に対して提供するイベント情報には、対象のテレビジョン受像器５０の地域情報と同じ地域情報を有するイベント情報や、所定のイベントよりも日付情報が示す日以前の日付を有しているイベントに関する情報も含められている。
【００５０】
〔情報の流れについて〕
図３は、情報処理装置１、テレビジョン受像器５０、及びスケジュールサーバ８０間での情報の流れを示すシーケンス図である。
【００５１】
（ステップＳ１０１）
スケジュールサーバ８０のサーバ制御部９０は、サーバ通信部８１を介して地域、及び日付の情報を有する、イベント情報８６を情報処理装置１に送信する。スケジュールサーバ８０のサーバ制御部９０は、定期的に、例えば、一日に一回所定の時間に、イベント情報８６を情報処理装置１に送信する構成であってもよい。スケジュールサーバ８０のサーバ制御部９０は、イベント情報８６の送信時に提供可能なイベント情報の全てをパックとして情報処理装置１に送信する。
【００５２】
（ステップＳ１０２）
情報処理装置１の制御部１０は、通信部２０を介してイベント情報８６を受信する。情報処理装置１の制御部１０は、受信したイベント情報８６を記憶部３０に、イベント情報３４として記憶する。記憶部３０に記憶されたイベント情報３４には、過去にスケジュールサーバ８０から受信したイベント情報８６が所定期間分蓄積されていてもよい。
【００５３】
（ステップＳ１０３）
情報処理装置１の制御部１０は、関連情報生成部１１の機能により、記憶部３０に記憶したイベント情報３４と、機器情報３２に含まれる対象のテレビジョン受像器５０の地域情報とを参照して、対象のテレビジョン受像器５０の地域情報を有するイベント情報生成する。このように、制御部１０は、通信部２０を介して取得した対象のテレビジョン受像器５０の地域情報を用いて、対象のテレビジョン受像器５０に送信すべき関連情報を抽出する。制御部１０は、通信部２０を介して生成したイベント情報を対象のテレビジョン受像器５０に送信する。
【００５４】
（ステップＳ１０４）
テレビジョン受像器５０は、受像器通信部５５を介して情報処理装置１から送信されたイベント情報を受信する。
【００５５】
（ステップＳ１０５）
テレビジョン受像器５０の受像器制御部６０は、関連情報取得部６２の機能により、イベント情報を取得し、表示制御部６３の機能によりイベント情報を表示部６５に表示する。
【００５６】
（ステップＳ１０６）
受像器制御部６０は、スケジュール登録部６１の機能により、表示部６５に表示したイベント情報が、ユーザによる操作部６６に対する操作によって、スケジュールへの登録候補として選択された旨を検出する。
【００５７】
（ステップＳ１０７）
受像器制御部６０は、スケジュール登録部６１の機能により、イベント情報がスケジュールへの登録候補として選択された旨の通知を、受像器通信部５５を介して送信する。
【００５８】
（ステップＳ１０８）
情報処理装置１の制御部１０は、通信部２０を介して、イベント情報がスケジュールへの登録候補として選択された旨の通知を受信する。
【００５９】
（ステップＳ１０９）
情報処理装置１の制御部１０は、関連情報生成部１１の機能により、イベント情報に関連する関連情報を生成して送信する。
【００６０】
（ステップＳ１１０）
テレビジョン受像器５０の受像器制御部６０は、受像器通信部５５を介して、情報処理装置１から関連情報を受信する。受像器制御部６０は、表示制御部６３の機能により、受信した関連情報を表示部６５に表示する。
【００６１】
（ステップＳ１１１）
テレビジョン受像器５０の受像器制御部６０は、スケジュール登録部６１の機能により、イベント情報のスケジュールへの登録指示と、関連情報のスケジュールへの登録指示とを、受像器通信部５５を介して送信する。
【００６２】
（ステップＳ１１２）
スケジュールサーバ８０のサーバ制御部９０は、サーバ通信部８１を介してイベント情報のスケジュールへの登録指示と、関連情報のスケジュールへの登録指示とを受信する。
【００６３】
（ステップＳ１１３）
スケジュールサーバ８０のサーバ制御部９０は、イベント情報と関連情報とを、サーバ記憶部８５のスケジュール情報にユーザのユーザＩＤに対応付けて記憶する。
【００６４】
〔制御部１０の処理の流れ〕
図４及び図５は、情報処理装置１の制御部１０の処理の流れの一例を示すフローチャートである。
【００６５】
図４は、制御部１０が、関連情報生成部１１の機能によって、イベント情報が有する日付情報が示す日以前の日付を有する関連情報を生成する処理の流れを示すフローチャートである。
【００６６】
（ステップＳ１４１）
制御部１０は、記憶部３０に記憶している機器情報３２と、イベント情報３４とを参照して、対象のテレビジョン受像器５０の地域情報と同じ地域情報を有するイベント情報を対象のテレビジョン受像器５０に送信する。
【００６７】
（ステップＳ１４２）
制御部１０は、通信部２０を介して、対象のテレビジョン受像器５０から、イベント情報がスケジュールへの登録候補として選択された旨の通知を受信したか否かを判定する。制御部１０は、イベント情報がスケジュールへの登録候補として選択された旨の通知を受信したと判定すると（ステップＳ１４２でＹＥＳ）、ステップＳ１４３に進む。制御部１０は、イベント情報がスケジュールへの登録候補として選択された旨の通知を受信していないと判定すると（ステップＳ１４２でＮＯ）、イベント情報がスケジュールへの登録候補として選択された旨の通知を受信するまでステップＳ１４２を繰り返す。
【００６８】
（ステップＳ１４３）
制御部１０は、テレビジョン受像器５０から、イベント情報が、ユーザによって、スケジュールへの登録候補として選択された旨の通知を受信した場合、関連情報生成部１１の機能により、関連情報を生成して、生成した関連情報をテレビジョン受像器５０に送信する。関連情報生成部１１によって生成される関連情報は、イベント情報に関連する情報であって、イベント情報が有する地域情報と同じ地域情報を有しており、且つ、イベント情報が有する日付情報が示す日以前の日付を有している。
【００６９】
（ステップＳ１４４）
制御部１０は、生成した関連情報を通信部２０を介して、テレビジョン受像器５０に送信する。
【００７０】
このように、情報処理装置１は、対象のテレビジョン受像器５０の地域情報と同じ地域情報を有するイベント情報を対象のテレビジョン受像器５０に送信することができる。また、ユーザによって、イベント情報がスケジュールへの登録候補として選択されると、情報処理装置１は、イベント情報が有する地域情報と同じ地域情報有しており、イベント情報が有する日付情報が示す日以前の日付を有している関連情報を生成する。イベント情報が有する地域情報と同じ地域情報を含む関連情報は、例えば登録されたイベントと関連する事前イベントに関する情報である。そして、情報処理装置１は、生成した関連情報をテレビジョン受像器５０に送信する。
【００７１】
なお、図３及び図４に示した処理の流れでは、制御部１０は、イベント情報を対象のテレビジョン受像器５０に送信し、テレビジョン受像器５０から、イベント情報が、スケジュールへの登録候補として選択された旨の通知を受信した場合に、関連情報を生成して、生成した関連情報をテレビジョン受像器５０に送信している。しかしながら、制御部１０による処理の流れは、これに限られるものではない。
【００７２】
制御部１０は、対象のテレビジョン受像器５０の地域情報と同じ地域情報を有するイベント情報と、当該イベント情報に関連する関連情報とを合わせて対象のテレビジョン受像器５０に送信してもよい。そして、関連情報は、イベント情報が有する地域情報と同じ地域情報を有しており、且つ、イベント情報が有する日付情報が示す日以前の日付を有している情報であってもよい。
【００７３】
また、制御部１０が、対象のテレビジョン受像器５０の地域情報と同じ地域情報を有するイベント情報と、当該イベント情報に関連する関連情報とを合わせて送信する構成においては、テレビジョン受像器５０の受像器制御部６０は、イベント情報、及びイベント情報に関連する関連情報の少なくとも何れか一方を、スケジュールへの登録候補として表示部６５に表示する構成であってもよい。
【００７４】
また、図５に示すように、制御部１０は、関連情報生成部１１の機能によって、記憶部３０に記憶したユーザの嗜好や行動傾向に関する情報を参照して、関連情報を生成してもよい。
【００７５】
（ステップＳ１５１）
制御部１０は、記憶部３０に記憶している機器情報３２と、イベント情報３４とを参照して、対象のテレビジョン受像器５０の地域情報と同じ地域情報を有するイベント情報を対象のテレビジョン受像器５０に送信する。
【００７６】
（ステップＳ１５２）
制御部１０は、通信部２０を介して、対象のテレビジョン受像器５０から、イベント情報がスケジュールへの登録候補として選択された旨の通知を受信したか否かを判定する。制御部１０は、イベント情報がスケジュールへの登録候補として選択された旨の通知を受信したと判定すると（ステップＳ１５２でＹＥＳ）、ステップＳ１５３に進む。制御部１０は、イベント情報がスケジュールへの登録候補として選択された旨の通知を受信していないと判定すると（ステップＳ１５２でＮＯ）、イベント情報がスケジュールへの登録候補として選択された旨の通知を受信するまでステップＳ１５２を繰り返す。
【００７７】
（ステップＳ１５３）
制御部１０は、関連情報生成部１１の機能により、イベント情報に関連する情報であって、記憶部３０に記憶している、ユーザの傾向や、ユーザの人間関係などの情報を用いてフィルタリングした関連情報を生成する。また、関連情報生成部１１、スケジュールサーバ８０に対して、ユーザのスケジュール情報の提供を求めるリクエストを送信する。関連情報生成部１１は、スケジュールサーバ８０から提供されたユーザのスケジュール情報を用いて、イベント情報に関連する情報を更にフィルタリングして、関連情報を生成することもできる。
【００７８】
（ステップＳ１５４）
制御部１０は、生成した関連情報を通信部２０を介して、テレビジョン受像器５０に送信する。
【００７９】
なお、図５に示した処理の流れでは、制御部１０は、イベント情報を対象のテレビジョン受像器５０に送信し、テレビジョン受像器５０から、イベント情報が、スケジュールへの登録候補として選択された旨の通知を受信した場合に、関連情報を生成して、生成した関連情報をテレビジョン受像器５０に送信している。しかしながら、制御部１０による処理の流れは、これに限られるものではない。
【００８０】
制御部１０、対象のテレビジョン受像器５０の地域情報と同じ地域情報を有するイベント情報と、当該イベント情報に関連する関連情報とを合わせて、対象のテレビジョン受像器５０送信してもよい。そして、関連情報は、ユーザの傾向を示す傾向情報、ユーザのスケジュールに関するスケジュール情報、及びユーザの人間関係を示す人間関係情報の少なくとも何れかに関連する情報を有しており、且つ、イベント情報が有する日付情報が示す日以前の日付を有している情報であってもよい。
【００８１】
また、制御部１０が、対象のテレビジョン受像器５０の地域情報と同じ地域情報を有するイベント情報と、当該イベント情報に関連する関連情報とを合わせて送信する構成においては、テレビジョン受像器５０の受像器制御部６０は、イベント情報、及びイベント情報に関連する関連情報の少なくとも何れか一方を、スケジュールへの登録候補として表示部６５に表示する構成であってもよい。
【００８２】
このように、情報処理装置１は、イベント情報がスケジュールへの登録候補として選択されると、登録されたイベント情報が有する地域情報と同じ地域情報を含む、イベント情報に関連する関連情報を生成する。また、情報処理装置１は、イベント情報に関連する情報をユーザの嗜好、行動傾向、人間関係、及びスケジュール等の少なくとも何れかに応じてフィルタリングして、関連情報を生成する。よって、情報処理装置１は、ユーザにとって有用性の高い情報を提供することができる。
【００８３】
また、テレビジョン受像器５０の受像器制御部６０は、情報処理装置１から取得した関連情報の少なくとも一部を、ユーザの傾向を示す傾向情報、ユーザのスケジュールに関するスケジュール情報、及びユーザの人間関係を示す人間関係情報の少なくとも何れかに応じたタイミングで、表示部６５に表示してもよい。
【００８４】
また、関連情報生成部１１は、イベント情報に関連する関連情報を生成する際に、ユーザのスケジュール情報を用いて、ユーザの行動の自由度を示す自由度情報を有する関連情報を生成してもよい。例えば、関連情報生成部１１は、ユーザのスケジュールを参照して、ユーザのスケジュールに空きがある日、及び空きがある時間を、ユーザの行動に自由度がある日、及び時間とする。そして、関連情報生成部１１は、イベント情報に関連する情報に、ユーザの行動の自由度を示す自由度情報を含また関連情報を生成する。関連情報生成部１１は、ユーザの行動に自由度がある日、又は自由度がある時間を用いて、情報をフィルタリングすることで、関連情報を生成することができてもよい。
【００８５】
また、関連情報に含まれるユーザの行動の自由度を示す自由度情報は、テレビジョン受像器５０の受像器制御部６０が表示部６５に関連情報を表示するタイミングを示す情報であってもよい。これにより、テレビジョン受像器５０の受像器制御部６０は、情報処理装置１から取得した関連情報の少なくとも一部を、自由度情報に応じたタイミングで、表示部６５に表示することができてもよい。
【００８６】
〔テレビジョン受像器５０の表示例について〕
図６から図８は、テレビジョン受像器５０におけるイベント情報と、関連情報との表示例を示す図である。
【００８７】
図６の（ａ）は、表示部６５に表示された日付情報を有するイベント情報の一例を示す図である。テレビジョン受像器５０の受像器制御部６０は、ユーザ操作に応じて、表示部６５にイベント情報、又は関連情報を含むカードを、他のお薦め情報を含むカードと共に表示する。受像器制御部６０は、例えば、お薦め情報を含むカードとして、現在放送中の番組の情報を含むカードである「番組Ａ」と「番組Ｂ」とを表示してもよい。また、受像器制御部６０は、テレビジョン受像器５０とシステム連携されている他の電気機器に関する情報を含むカードをお薦め情報を含むカードとして、表示してもよい。
【００８８】
テレビジョン受像器５０とシステム連携されている他の電気機器とは、例えば、テレビジョン受像器５０が設置されている家などの建物内で使用されている電気調理機器や冷蔵庫等の家電である。情報処理装置１には、ユーザＩＤで対応付けて、テレビジョン受像器５０の機器情報、操作履歴、及び稼働履歴とともに、これらの他の電気機器の機器情報、操作履歴、及び稼働履歴が記憶されていてもよい。そして、テレビジョン受像器５０の表示部６５には、例えば、テレビジョン受像器５０とシステム連携されている電気調理機器で調理を行うための手順の情報を含む「レシピ」のカードが表示されてもよい。
【００８９】
また、ユーザが予め、お薦め情報として表示するカードの内容（例えば、天気予報や、トップニュース等）を設定しておくことも可能であり、表示部６５には、ユーザ設定に応じたカードがイベント情報を含むカードと共に表示されてもよい。
【００９０】
ユーザが操作部６６への操作によって、提示されたイベント情報のカードを選択することによって、当該イベント情報をスケジュールへの登録候補として選択すると、図６の（ｂ）に示すように、当該イベントを予定表に登録した旨を示す画面が、表示部６５に表示される。例えば、表示部６５には、イベントの日付に対応する月のカレンダーが表示され、当該カレンダーにおいて、イベントが登録された日付の色が変えられて表示されるとともに、登録されたイベントのタイトル、日付、場所等の情報が表示されていてもよい。
【００９１】
なお、ユーザは、表示部６５に表示された複数のカードの中からイベント情報を含むカードを選択して、所定のイベントをスケジュールに登録する他に、図６の（ｂ）に示すような、表示部６５に表示されたカレンダーから日付を選択して、イベント情報を登録することもできる。ユーザは、任意のイベントを、カレンダーから選択した日付に対応させて、操作部６６への操作によって登録することも可能である。これにより、ユーザは、スケジュールサーバから提供されるイベント以外の個人的な予定、家族や友人の誕生日、仕事の予定等のさまざまなイベントをスケジュールに登録することができる。
【００９２】
また、図６の（ａ）に示したイベント情報を含むカードを、ユーザが選択する操作を行うと、図７に示すように、イベント情報が有する日付情報が示す日以前の日付を有している、当該イベントに関連する関連情報が表示部６５に表示される。図６の（ａ）、及び図７に示した例では、８月１日を日付情報として有するＹ市盆踊り大会をスケジュールへの登録候補としてユーザが選択した場合の表示部６５に表示される情報の例を示している。
【００９３】
ユーザが表示部６５に表示された複数のカードの中からイベント情報を含むカードを選択する操作を行うと、イベント情報がスケジュールへの登録候補として選択された旨の通知が、情報処理装置１に送信される。情報処理装置１は、当該通知を受信して、登録候補として選択されたイベント情報に関連する関連情報を生成して、テレビジョン受像器５０に送信する。
【００９４】
このように、テレビジョン受像器５０の受像器制御部６０は、日付情報を有するイベント情報がスケジュールに登録された場合に、当該イベント情報に関連する関連情報を受信して、表示制御部６３の機能により、表示部６５に、当該関連情報を表示する。関連情報は、イベント情報が有する日付情報である８月１日よりも前の日付を有する、Ｙ市盆踊り大会に関連するイベントの情報を含んでいてもよい。図７に示した例では、８月１日のＹ市盆踊り大会に関連する関連情報は、８月１日よりも前の日付を有する、７月１８日のボランティア説明会の情報と、７月２８日の盆踊り講座のテレビ放送の情報と、７月３１日の大会設営の情報と、を含んでいる。
【００９５】
受像器制御部６０は、イベント情報のスケジュールへの登録に関するユーザ指示を受け付けたタイミングで、関連情報を表示部６５に表示してもよい。また、受像器制御部６０は、ユーザがイベント情報のスケジュールへの登録を行っているタイミングで関連情報を表示してもよい。ユーザが、イベント情報のスケジュールへの登録を行う操作を行っている時は、ユーザが表示部６５を見ている可能性が高い時である。よって、ユーザがスケジュールに関連する情報を確認する可能性が高いタイミングで、関連情報をユーザに提示することができる。また、ユーザがテレビ番組を視聴している際に関連情報を表示するのとは異なり、ユーザのテレビ番組の視聴の妨げとなることなく、関連情報を表示部６５に表示することができる。
【００９６】
また、受像器制御部６０は、表示制御部６３の機能により、イベント情報が有する日付情報が示す日以前の日付を有している、当該イベントに関連する関連情報をスケジュールへの登録候補として、ユーザが操作部６６に対する操作で選択可能に表示部６５に表示する。関連情報が選択されると、受像器制御部６０は、スケジュール登録部６１の機能により、イベント情報とともに、関連情報をユーザのスケジュールに登録する。
【００９７】
なお、受像器制御部６０は、図８の（ａ）に示すように、イベント情報が登録された場合、テレビジョン受像器５０の電源がオンにされたことを契機として、図８の（ｂ）に示すように、登録されたイベント情報を含むカードを、お薦めの情報を含むカードと共に、表示部６５に表示してもよい。また、受像器制御部６０は、イベント情報が登録された場合、テレビジョン受像器５０の電源がオンにされたことを契機として、登録されたイベント情報に関連する関連情報を含むカードを表示部６５に表示しもよい。
【００９８】
ユーザが、テレビジョン受像器５０の電源をオンにするタイミングは、ユーザが表示部６５に表示されている内容を確認する可能性が高いタイミングである。よって、イベント情報が登録された後に、テレビジョン受像器５０の電源をオンにするタイミングで関連情報を表示することで、ユーザが関連情報を確認しやすいように、関連情報をユーザに提供することができる。
【００９９】
また、受像器制御部６０は、関連情報を含むカードを表示部６５に表示する場合には、関連情報と共に、当該関連情報が、ユーザによって登録されたイベント情報に関連することを示す情報を、図８の（ｃ）に示すように、表示部６５に表示してもよい。図８の（ｃ）の例では、「８／１盆踊り大会関連」との表示内容が、「ユーザによって登録されたイベント情報に関連することを示す情報」に該当している。この構成によれば、ユーザは、関連情報が表示部６５に表示された際に、当該関連情報が、自分がスケジュールに登録したどのイベントに関連する情報であるのかを、煩雑な操作を行うことなく知ることができる。
【０１００】
なお、表示制御部６３は、情報処理装置１から提供されたイベント情報を図６に示すように４枚のカードのうち１枚として表示部６５に表示する構成に限らず、２枚以上表示してもよい。また、表示制御部６３は、ユーザの視聴履歴や操作履歴に応じて、ユーザがテレビ視聴を好んで行う時間には、イベント情報を含むカードの表示部６５への表示を行わない構成であってもよい。また、表示制御部６３は、ユーザの操作履歴に応じて、ユーザがイベント情報を含むカードの表示を繰り返す操作を好んで行う時間帯や曜日などには、イベント情報を含むカードを複数枚、表示部６５に表示する構成であってもよい。
【０１０１】
また、イベント情報、及び関連情報を表示部６５に表示するタイミングは、電源オン時や、イベント情報のスケジュールへの登録時に限らず、イベント情報のスケジュールへの登録後の任意のタイミングで、カードとして表示されてもよい。
【０１０２】
なお、図示は省略するが、テレビジョン受像器５０には、人感センサが設けられており、受像器制御部６０は、当該人感センサによって、人を検知した場合に、音声や映像によって、イベント情報、及び関連情報を通知することができてもよい。また、受像器制御部６０は、ユーザの視聴履歴や行動パターンから、テレビを見ないと推定される時間帯や曜日などに、人感センサによって、人を検知した場合に、音声や映像によって、イベント情報、及び関連情報を通知してもよい。これらの構成によれば、テレビジョン受像器５０の電源オン時に限らず、ユーザにイベント情報や関連情報を提供することができる。
【０１０３】
〔関連情報の具体例〕
図９〜図１２は、テレビジョン受像器５０の表示部６５に表示された関連情報を含むカードの具体例を示す図である。
【０１０４】
図９の（ａ）は、ユーザが、操作部６６への操作によって、テレビジョン受像器５０を介して「３月３日雛祭り」をスケジュールに登録した場合に表示部６５に表示される関連情報を含むカードの表示例を示す図である。表示部６５には、ユーザがスケジュールに登録したイベントに関連するお薦めの関連情報を含むカードが、他のお薦め情報を含むカードと共に表示される。
【０１０５】
ユーザは、「３月３日雛祭り」という日付情報を有するイベント情報を、日付情報が示す日よりも前、例えば半年前、に登録する。情報処理装置１の制御部１０は、関連情報生成部１１の機能により、ユーザのテレビ視聴に関する設定、テレビの視聴履歴、生活地域、行動パターン等を参照して、ユーザの嗜好や興味を抽出し、ユーザにとって有効度の高い情報を含む関連情報を生成する。
【０１０６】
例えば、「３月３日雛祭り」という日付情報を有するイベント情報がスケジュールに登録されると、関連情報生成部１１は、「雛人形を持っていますか」という関連情報を生成する。そして、関連情報生成部１１は、登録されたイベント情報が有する日付情報が示す日以前の日付、例えば、３か月前を当該関連情報に付して、テレビジョン受像器５０に送信する。テレビジョン受像器５０の表示部６５には、「雛人形を持っていますか」と記されたカードが、雛祭りの３か月前に表示される。
【０１０７】
また、関連情報生成部１１は、対象のテレビジョン受像器５０の地域情報と同じ地域情報を有する、イベント情報に関連する関連情報を生成する。関連情報生成部１１は、「３月３日雛祭り」という日付情報を有するイベント情報がスケジュールに登録されると、例えば、「近所の雛人形店」という関連情報を生成して、テレビジョン受像器５０に送信する。テレビジョン受像器５０の表示部６５には、図９の（ｂ）に示すように「近所の雛人形店」と記されたカードが、雛祭りの日以前に表示される。
【０１０８】
また、関連情報生成部１１は、記憶部３０に記憶されたユーザの人間関係情報３６を参照して、スケジュールに登録されたイベント情報に関連する関連情報を生成する。例えば、ユーザに５歳の娘がいる場合には、既に雛人形は持っていると考えられる。よって、関連情報生成部１１は、５歳、女の子、雛祭り、プレゼント等のキーワードを用いて抽出した、「雛祭りに喜ばれるプレゼント候補」という関連情報を生成し、テレビジョン受像器５０に送信する。テレビジョン受像器５０の表示部６５には、図９の（ｃ）に示すように、「雛祭りに喜ばれるプレゼント候補」と記されたカードが、雛祭りの日以前に表示される。
【０１０９】
このように、スケジュールに登録されたイベント情報に関連する関連情報を、ユーザの生活圏や、人間関係、興味等に応じて生成して提供することができる。よって、煩雑な操作を必要とせず、ユーザの予定に関連する関連情報であって、ユーザにとって有効度の高い情報をユーザに提示することができる。
【０１１０】
図１０の（ａ）は、ユーザが、操作部６６への操作によって、テレビジョン受像器５０を介して「４月４日父の健康診断」をスケジュールに登録した場合に表示部６５に表示される関連情報を含むカードの表示例を示す図である。表示部６５には、ユーザがスケジュールに登録したイベント情報に関連するお薦めの関連情報を含むカードが、他のお薦め情報を含むカードと共に表示される。
【０１１１】
ユーザは、「４月４日父の健康診断」という日付情報を有するイベント情報を、日付情報が示す日よりも前、例えば１か月前、に登録する。情報処理装置１の制御部１０は、関連情報生成部１１の機能により、ユーザ、及びユーザのお父さんの家のテレビジョン受像器５０の行動履歴、視聴履歴、機器の使用履歴を参照して、ユーザにとって有効度の高い情報を含む関連情報を生成する。
【０１１２】
例えば、「４月４日父の健康診断」という日付情報を有するイベント情報がスケジュールに登録されると、関連情報生成部１１は、「来週はＡ病院で健康診断ですよ」という関連情報を生成する。また、関連情報生成部１１は、登録されたイベント情報が有する日付情報が示す日以前の日付、例えば、１週間前を当該関連情報に付して、テレビジョン受像器５０に送信する。テレビジョン受像器５０の表示部６５には、「来週はＡ病院で健康診断ですよ」と記されたカードが、健康診断の１週間前に表示される。関連情報生成部１１は、ユーザの行動履歴、視聴履歴、機器の使用履歴を参照して、「来週はＡ病院で健康診断ですよ」という関連情報に付す日付を、当該関連情報を含むカードがユーザの目に触れる可能性が高い日に設定してもよい。
【０１１３】
なお、例えば「来週はＡ病院で健康診断ですよ」という関連情報を含むカードが表示されるべき日に、ユーザが外出していた等の理由により、テレビジョン受像器５０の電源がオンにされず、カードが表示できない場合がある。このような場合には、テレビジョン受像器５０の表示制御部６３は、その後、テレビジョン受像器５０の電源がオンにされたタイミングで関連情報を含むカードを表示部６５に表示することができてもよい。
【０１１４】
また、関連情報生成部１１は、スケジュールに登録されたイベント情報に関連する、例えば「食事の有無などを確認しておきましょう」という関連情報を生成して、テレビジョン受像器５０に送信する。テレビジョン受像器５０の表示部６５には、図１０の（ｂ）に示すように、「食事の有無などを確認しておきましょう」と記されたカードが、健康診断の日以前、例えば前の日、に表示される。
【０１１５】
また、関連情報生成部１１は、「食事の有無などを確認しておきましょう」と記されたカードが、ユーザのお父さんの家のテレビジョン受像器５０の表示部６５に表示され、確認されたことを、ユーザのお父さんの家のテレビジョン受像器５０の視聴履歴や機器の使用履歴から検出することができてもよい。そして、関連情報生成部１１は、当該関連情報をお父さんが確認したことを示す関連情報を生成して、ユーザのテレビジョン受像器５０に送信してもよい。
【０１１６】
ユーザは、お父さんが「食事の有無などを確認しておきましょう」と記されたカードを確認したことを、表示部６５に表示される関連情報を含むカードによって知ることができるため、お父さんに確認の電話等をするのを控えることができる。
【０１１７】
また、図示は省略するが、関連情報生成部１１は、ユーザのお父さんの家のテレビジョン受像器５０の、健康診断当日の使用状況から、お父さんが健康診断を忘れている可能性があることを示す関連情報を生成して、ユーザに通知することができてもよい。
【０１１８】
これらの構成によれば、図１０の（ｃ）に示すように、スケジュールに登録したイベント情報を、表示部６５に表示されるカードで確認することができるだけではなく、登録したイベントに関連する関連情報を表示部６５に表示されるカードで確認することができる。また、ユーザは、他の利用者が、ユーザがスケジュールに登録したイベント情報に関連する情報に接触したか、及び選択したかを表示部６５に表示されるカードで知ることができる。また、ユーザは、他の利用者が、ユーザがスケジュールに登録したイベントを忘れている可能性を知ることができる。
【０１１９】
図１１の（ａ）は、ユーザが、操作部６６への操作によって、テレビジョン受像器５０を介して「７月７日芝浦へ出張」をスケジュールに登録した場合に表示部６５に表示される関連情報を含むカードの表示例を示す図である。表示部６５には、ユーザがスケジュールに登録したイベントに関連するお薦めの関連情報を含むカードが、他のお薦め情報を含むカードと共に表示される。
【０１２０】
ユーザは、「７月７日芝浦へ出張」という日付情報を有するイベント情報を、日付情報が示す日よりも前、例えば数日前、に登録する。情報処理装置１の制御部１０は、関連情報生成部１１の機能により、ユーザのテレビの視聴履歴を参照して、ユーザの嗜好や興味に合った、ユーザにとって有効度の高い情報を含む関連情報を生成する。
【０１２１】
例えば、「７月７日芝浦へ出張」という日付情報を有するイベント情報が、ユーザによって、スケジュールに登録される。すると、関連情報生成部１１は、記憶部３０に記憶されている視聴ログ３３と、メタ情報３１とを参照して、ユーザが視聴していた番組で紹介されていた昼食にお薦めのお店の情報を抽出し、「お薦めのお店７月７日」という関連情報を生成する。そして、関連情報生成部１１は、生成した関連情報をテレビジョン受像器５０に送信する。
【０１２２】
このように、関連情報生成部１１は、ユーザがスケジュールに登録したイベント情報と、ユーザの視聴履歴とを組み合わせて、ユーザが過去に接触した情報を含む関連情報を生成する。これにより、有用性の高い関連情報を生成してユーザに提供することができる。
【０１２３】
図１１の（ｂ）は、ユーザが、操作部６６への操作によって、テレビジョン受像器５０を介して「８月８日広島戦観戦」をスケジュールに登録した場合に表示部６５に表示される関連情報を含むカードの表示例を示す図である。表示部６５には、ユーザがスケジュールに登録したイベントに関連するお薦めの関連情報を含むカードが、他のお薦め情報を含むカードと共に表示される。
【０１２４】
「８月８日広島戦観戦」というイベント情報がスケジュールに登録されると、情報処理装置１の制御部１０は、関連情報生成部１１の機能により、「広島戦」を放送している番組の情報を含む関連情報を生成して、テレビジョン受像器５０に送信する。テレビジョン受像器５０の表示部６５には、例えば「ＢＳ放送で広島戦デーゲーム放送中」という関連情報を含むカードが表示される。
【０１２５】
なお、関連情報生成部１１は、スケジュールに登録されたイベント情報の関連情報に限らず、ユーザのテレビの視聴傾向から、見るだろうと予測される番組に関連する関連情報を生成して、テレビジョン受像器５０の送信することができてもよい。
【０１２６】
例えば、ユーザが過去に野球観戦の予定を、イベント情報としてスケジュールに登録し、その後、野球観戦の予定の日付情報が示す日よりも前にテレビで観戦予定のチームの試合を見たことがあるとする。関連情報生成部１１は、ユーザが過去にスケジュールに登録したイベント情報の履歴と、ユーザの視聴履歴と、を参照して、テレビ放送のリストを検索し、「ＢＳ放送で広島戦デーゲーム放送中」という関連情報を生成することができてもよい。
【０１２７】
また、関連情報生成部１１は、番組表と、ユーザの視聴履歴とを参照して、ユーザがテレビを見るだろう時間帯に放送される番組の中から、ユーザの過去の行動履歴や視聴履歴に応じた、ユーザの嗜好に合った番組を抽出してもよい。そして、関連情報生成部１１は、視聴履歴に応じて番組表の中から抽出した番組に関連する関連情報を生成することができてもよい。
【０１２８】
このように、関連情報生成部１１は、ユーザの過去の行動履歴と、テレビの視聴履歴とから、ユーザが見るだろうと予測される番組に関連する関連情報を生成して、テレビジョン受像器５０に提供することができる。よって、ユーザは、煩雑な操作を必要とせず、自分の好みに合った情報を取得することができる。
【０１２９】
また、「８月８日広島戦観戦」というイベント情報がスケジュールに登録された場合に、関連情報生成部１１は、ユーザの休日情報に基づいて、関連情報を提供する日付を決定してもよい。
【０１３０】
例えば、ユーザが、過去に野球観戦の予定をイベント情報としてスケジュールに登録した際に、野球観戦の予定の前の休日にテレビで観戦予定のチームの試合を見たことがあることがユーザの視聴履歴に記憶されているとする。この場合、関連情報生成部１１は、スケジュールサーバ８０に記憶されているユーザのスケジュールから、ユーザの休みの日（曜日）を推定し、ユーザの休みの日に放送される、観戦予定のチームの試合の番組に関連する関連情報を生成してもよい。
【０１３１】
このように、関連情報生成部１１は、スケジュールに登録されたイベント情報に関連する番組の情報であって、ユーザがテレビを見る傾向にある日付を含む番組の情報を関連情報としてユーザに提供することができる。
【０１３２】
このように、関連情報生成部１１は、このように、ユーザの休みの日を、ユーザの過去の行動履歴等を参照して推定することができる。よって、例えば、ユーザが役場に行く予定を備忘録としてスケジュールに登録した場合には、ユーザの休みの日であって、平日の日に、役場に行く予定に関する関連情報を生成して、ユーザに提示することができてもよい。
【０１３３】
また、関連情報生成部１１は、スケジュールサーバ８０に記憶されているユーザのスケジュールを参照して、ユーザのスケジュールに空きがある日、及び空きがある時間を、ユーザの行動に自由度がある日、及び時間と推定することができてもよい。そして、関連情報生成部１１は、ユーザの行動の自由度を示す自由度情報に関連する情報を有する関連情報を生成して、ユーザに提供してもよい。
【０１３４】
また、関連情報生成部１１は、スケジュールに登録されたイベント情報に含まれる日付情報を参照し、日付情報が示す日までの日数に応じて、生成する関連情報の内容や、関連情報に対応付ける日付の情報を適宜に調整することができてもよい。
【０１３５】
図１１の（ｃ）は、ユーザが、操作部６６への操作によって、テレビジョン受像器５０を介して「９月９日粗大ゴミの日」をスケジュールに登録した場合に表示部６５に表示される関連情報を含むカードの表示例を示す図である。表示部６５には、ユーザがスケジュールに登録したイベントに関連するお薦めの関連情報を含むカードが、他のお薦め情報を含むカードと共に表示される。
【０１３６】
ユーザは、「９月９日粗大ゴミの日」という日付情報を有するイベント情報をスケジュールに登録する。情報処理装置１の制御部１０は、関連情報生成部１１の機能により、「来週のゴミ捨ての準備しておきましょう」という関連情報を生成する。また、関連情報生成部１１は、関連情報に、登録されたイベント情報が有する日付情報が示す日以前の日付の情報を含ませて、テレビジョン受像器５０に送信する。
【０１３７】
関連情報生成部１１は、ユーザのスケジュールを参照して、関連情報に含ませる日付の情報を生成してもよい。例えば、粗大ごみの日の直前の日曜日にユーザのスケジュールに予定が登録されている場合には、ユーザがこの日にテレビを見ない可能性が考えられる。よって、関連情報生成部１１は、「来週のゴミ捨ての準備しておきましょう」という関連情報を、粗大ごみの日の直前の日曜日ではなく、土曜日にテレビジョン受像器５０の表示部６５に表示されるように、テレビジョン受像器５０に送信する。
【０１３８】
また、関連情報生成部１１は、記憶部３０に記憶されている、機器情報３２や傾向情報３５を参照して、関連情報に含ませる日付の情報を生成してもよい。例えば、記憶部３０には、テレビジョン受像器５０の使用履歴だけではなく、ユーザの家に設置されている、人感センサ、冷蔵庫、照明、ドアなどの使用履歴が記憶され情報として蓄積されていてもよい。関連情報生成部１１は、これらの機器の
・人感センサでテレビの前に人がいる曜日毎の時間帯
・テレビの電源がオンの曜日毎の時間帯
・冷蔵庫が開閉される曜日毎の時間
・照明が使用される曜日毎の時間帯
・ドアセンサの曜日毎の反応時間
等の使用履歴を参照して、ユーザの行動履歴や機器使用履歴から、ユーザの行動パターンを推定する。そして、関連情報生成部１１は、推定したユーザの行動パターンに応じて、ユーザがテレビジョン受像器５０の表示部６５に表示された関連情報を触れる確率が高い日に、情報がユーザに提示されるように、関連情報を生成する。
【０１３９】
このように、情報処理装置１は、スケジュールに登録されるイベント情報が、ユーザが実行しなければいけない作業の備忘録である場合には、ユーザがテレビジョン受像器５０の表示部６５に表示された関連情報に触れる確率が高いタイミングで関連情報をユーザに提供することができる。
【０１４０】
なお、上述したように、関連情報生成部１１が、ユーザの休みの日を、ユーザの過去の行動履歴等を参照して推定する場合には、関連情報生成部１１は、ユーザが実行しなければいけない作業の関連情報を、当該作業の予定に含まれる日付けの直前のユーザの休みの日にユーザに提示してもよい。
【０１４１】
図１２の（ａ）は、ユーザが、操作部６６への操作によって、テレビジョン受像器５０を介して「５月５日Ｘ山に登山」をスケジュールに登録した場合に表示部６５に表示される関連情報を含むカードの表示例を示す図である。表示部６５には、ユーザがスケジュールに登録したイベントに関連するお薦めの関連情報を含むカードが、他のお薦め情報を含むカードと共に表示される。
【０１４２】
ユーザは、「５月５日Ｘ山に登山」という日付情報を有するイベント情報を、イベント情報が有する日付情報が示す日以前にスケジュールに登録する。情報処理装置１の制御部１０は、関連情報生成部１１の機能により関連情報を生成し、テレビジョン受像器５０に送信する。関連情報生成部１１は、スケジュールサーバ８０に過去に登録されたユーザの予定や、ユーザンの過去の行動履歴を参照して、関連情報を生成する。
【０１４３】
例えば、ユーザが、過去にスケジュールに登山の予定を登録した際、その２週間前あたりにアウトドアショップへの買い物の予定も登録したことがあったとする。関連情報生成部１１は、ユーザのこの過去の行動履歴に基づいて、スケジュールサーバ８０から取得し、記憶部３０に記憶しているイベント情報３４から、アウトドアショップに関するイベントの情報を抽出する。関連情報生成部１１は、スケジュールに登録されたイベント情報が有する日付情報が示す日以前の日付の情報を有する、「ショップＡでセール開催４月２１日」という関連情報を生成して、テレビジョン受像器５０に送信する。
【０１４４】
このように、関連情報生成部１１は、ユーザの趣味や、過去の行動パターンに応じて、スケジュールに登録されたイベント情報に関連し、且つ、当該イベントよりも前に行われるイベントの情報を含む関連情報を生成して、ユーザに提供することができる。
【０１４５】
図１２の（ｂ）は、ユーザが、「３月３日雛祭り」という日付情報を有するイベント情報を、スケジュールに登録した場合に表示部６５に表示される関連情報を含むカードの表示例を示す図である。関連情報生成部１１は、記憶部３０に記憶されている人間関係情報３６を参照して、ユーザの家庭環境に応じた関連情報を生成する。また、関連情報生成部１１は、ユーザの過去の行動履歴に応じた関連情報を生成する。関連情報生成部１１は、例えば、ユーザが過去に雛人形の購入予定をスケジュールに登録している場合には、ユーザが過去に既に雛人形を購入していると推定する。そして、関連情報生成部１１は、「雛祭りのセール案内」を関連情報として生成するのではなく、「雛祭りイベント」を関連情報として生成する。
【０１４６】
また、ユーザが過去に雛人形の購入予定をスケジュールに登録している場合であっても、ユーザに更に女の子が誕生したことが、ユーザの行動履歴などから判る場合には、関連情報生成部１１は、「雛祭りのセール案内」を関連情報として生成してもよい。
【０１４７】
このように、関連情報生成部１１は、ユーザの家庭環境や、過去の行動履歴に応じた関連情報を生成して、ユーザに提供することができる。
【０１４８】
また、図示は省略するが、ユーザが、日付情報を有するイベント情報をスケジュールに登録した際に、イベント情報、及び関連情報の少なくとも何れかに他の複数の人とのスケジュールの調整を行う必要がある予定が含まれている場合がある。このような場合には、関連情報生成部１１は、生成した関連情報を、スケジュールの調整を行う必要がある他の複数の人と関連付けて登録されているテレビジョン受像器５０に送信し、当該関連情報のスケジュールへの登録を促してもよい。
【０１４９】
〔変形例１〕
図１３は、ユーザが操作部６６への操作によってテレビジョン受像器５０を介してイベントをスケジュール（カレンダー）に登録した際に、テレビジョン受像器５０の表示部６５に表示される設定画面の一例を示す図である。図１３に示すように、ユーザがイベントをスケジュールに登録すると、受像器制御部６０は、表示制御部６３の機能により、関連情報の種別を設定する設定画面を表示部６５に表示する。設定画面には、登録されたイベント情報に関連して、どのような関連情報を登録するかをユーザが選択可能に表示される。ユーザは、操作部６６への操作によって、登録されたイベント情報に関連して、どのような関連情報を登録するか選択する。
【０１５０】
登録されたイベント情報に関連する関連情報は、例えば、
・テレビジョン受像器５０の設置地域に関連するイベントの情報を含む地域関連イベント（テレビジョン受像器の地域情報を有する関連情報）
・ユーザの休日の日に関連するイベントの情報を含む休日関連イベント（ユーザの行動の自由度を示す自由度情報を有する関連情報）
・ユーザの、過去のスケジュール登録の履歴や、テレビの視聴履歴に基づく、ユーザの生活に関連するイベントの情報を含む生活関連イベント（ユーザの傾向を示す傾向情報を有する関連情報）
・ユーザの人間関係に関連するイベントの情報を含む家族関連イベント（ユーザの人間関係を示す人間関係情報を有する関連情報）
等である。
【０１５１】
このように、表示部６５には、ユーザがイベントをカレンダーに登録する際に、合わせて登録可能な関連のイベントの種類が選択可能に表示されてもよい。
【０１５２】
また、表示部６５には、「設定して戻る」、及び「設定せずに戻る」といった選択ボタンが表示されてもよい。ユーザは、操作部６６への、例えば決定ボタンの押下等の操作により、表示部６５に表示された選択項目の選択を行って、イベント情報と併せて登録可能な関連情報の種類を選択することができてもよい。
【０１５３】
なお、これらのユーザによって設定された関連情報の種別に関する設定内容は、テレビジョン受像器５０の受像器制御部６０が記録しておく構成であってもよいし、情報処理装置１の記憶部３０に記憶される構成であってもよい。なお、ユーザの設定内容をテレビジョン受像器５０の受像器制御部６０が記録しておく構成の場合には、受像器制御部６０は、情報処理装置１に関連情報の送信を要求する際に、ユーザの設定内容を指定して、関連情報を要求する。
【０１５４】
このように、本実施形態によれば、関連情報は、テレビジョン受像器５０の地域情報、ユーザの行動の自由度を示す自由度情報、ユーザの傾向を示す傾向情報、及びユーザの人間関係を示す人間関係情報の少なくとも何れかに関連する情報であり、予め設定された登録内容に応じた関連情報を表示することができる。よって、煩雑な操作を必要とせず、ユーザの予定に関連し、ユーザにとって有用な関連情報を、ユーザに提示することができる。
【０１５５】
〔変形例２〕
ところで、上述した実施形態のテレビジョン受像器５０では、日付情報を有するイベント情報がスケジュールに登録された場合に、イベント情報が有する日付情報が示す日以前の日付を有している関連情報が表示部６５に表示される構成であった。しかしながら、テレビジョン受像器５０は、この構成に限らず、日付情報を有するイベント情報がスケジュールに登録された場合に、イベント情報が有する日付情報が示す日と同じか、又は日付情報が示す日以降の日付を有している関連情報を表示部６５に表示することができてもよい。
【０１５６】
例えば、ユーザが、操作部６６への操作によって、テレビジョン受像器５０を介して「空気清浄機を購入した」との備忘録をスケジュールに登録した。情報処理装置１の制御部１０は、関連情報生成部１１の機能により、「２年後にフィルター交換」という関連情報を生成してテレビジョン受像器５０に送信する。なお、関連情報生成部１１は、例えば、ユーザがスケジュールに登録した空気清浄機の機器ＩＤ等の情報から、フィルターの型番や、フィルターの交換時期の情報をインターネットを介して不図示の外部サーバから収集することができてもよい。
【０１５７】
テレビジョン受像器５０の表示部６５には、受像器制御部６０によって、「２年後にフィルター交換」というイベント情報が有する日付情報が示す日と同じ日付を有している関連情報が表示部６５に表示される。
【０１５８】
また、関連情報生成部１１は、スケジュールに登録された「２年後にフィルター交換」という関連情報を参照して、フィルター交換の時期が近付くと、フィルター交換の時期をユーザに知らせる関連情報を更に生成して、テレビジョン受像器５０に送信してもよい。また、関連情報生成部１１は、スケジュールに登録された「２年後にフィルター交換」という関連情報と、当該関連情報が有する日付情報とを参照して、「フィルター販売先の紹介」という関連情報を生成して、テレビジョン受像器５０に送信してもよい。
【０１５９】
これにより、テレビジョン受像器５０の表示部６５には、受像器制御部６０によって、「空気清浄機を購入した」というイベント情報が有する日付情報が示す日以降の日付を有している「フィルター販売先の紹介」という関連情報が表示される。
【０１６０】
このように、本変形例に係るテレビジョン受像器は、表示部と、制御部とを備えたテレビジョン受像器であって、上記制御部は、日付情報を有するイベント情報がスケジュールに登録された場合に、当該イベント情報に関連する関連情報を上記表示部に表示し、上記関連情報は、上記イベント情報が有する日付情報が示す日と同じ日か又はそれ以降の日付を有している。
【０１６１】
上記の構成によれば、テレビジョン受像器５０は、日付情報を有するイベント情報がスケジュールに登録された場合に、当該イベント情報に関連する関連情報であって、イベント情報が有する日付情報が示す日と同じか、又は日付情報が示す日以降の日付を有している関連情報を表示部６５に表示して、ユーザに提供することができる。よって、煩雑な操作を必要とせず、ユーザの予定に関連し、ユーザにとって有用な関連情報を、ユーザに提示することができる。
【０１６２】
〔ソフトウェアによる実現例〕
テレビジョン受像器５０の制御ブロック（特にスケジュール登録部６１、関連情報取得部６２、および表示制御部６３）、及び情報処理装置１の制御ブロック（特に関連情報生成部１１）は、集積回路（ＩＣチップ）等に形成された論理回路（ハードウェア）によって実現してもよいし、ソフトウェアによって実現してもよい。
【０１６３】
後者の場合、テレビジョン受像器５０、及び情報処理装置１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１６４】
〔まとめ〕
本発明の態様１に係るテレビジョン受像器（５０）は、表示部（６５）と、制御部（６０）とを備えたテレビジョン受像器（５０）であって、上記制御部（６０）は、日付情報を有するイベント情報がスケジュールに登録された場合に、当該イベント情報に関連する関連情報を上記表示部に表示し、上記関連情報は、上記イベント情報が有する日付情報が示す日以前の日付を有している構成である。
【０１６５】
上記の構成によれば、イベント情報をスケジュールに登録するだけで、煩雑な操作を必要とせず、登録したイベント情報に関連する関連情報であって、イベント情報が有する日付情報が示す日以前の日付を有している関連情報が表示部に表示される。よって、ユーザは、スケジュールに登録したイベントよりも前に行われる関連のイベント等の有用な情報を取得することがでる。
【０１６６】
本発明の態様２に係るテレビジョン受像器（５０）は、上記の態様１において、上記制御部（６０）は、上記関連情報と共に、当該関連情報が、上記イベント情報に関連することを示す情報を上記表示部（６５）に表示する構成としてもよい。
【０１６７】
上記の構成によれば、関連情報が表示部に表示された際に、自分がスケジュールに登録したどのイベントに関連する情報であるのかをしることができる。
【０１６８】
本発明の態様３に係るテレビジョン受像器（５０）は、上記の態様１又は２において、上記制御部（６０）は、上記イベント情報が登録された場合、当該テレビジョン受像器の電源がオンにされたことを契機として上記関連情報を表示する構成としてもよい。
【０１６９】
上記の構成によれば、ユーザが表示部に表示されている内容を確認する可能性が高いタイミングで、関連情報を表示することができる。
【０１７０】
本発明の態様４に係るテレビジョン受像器（５０）は、上記の態様１から３の何れか１項において、上記制御部（６０）は、上記イベント情報の上記スケジュールへの登録に関するユーザ指示を受け付けたタイミングで上記関連情報を表示する構成としてもよい。
【０１７１】
上記の構成によれば、ユーザがイベント情報をスケジュールに登録したタイミングで関連情報を表示するため、ユーザがスケジュールに関連する情報を確認する可能性が高いタイミングで、関連情報を表示することができる。また、ユーザがテレビ番組を視聴している際に関連情報を表示した場合には、視聴の妨げとなるが、スケジュールに登録したタイミングで関連情報を表示することで、関連情報の表示が視聴の妨げとなるのを防ぐことができる。
【０１７２】
本発明の態様５に係るテレビジョン受像器（５０）は、上記の態様１から４の何れか１項において、上記関連情報は、当該テレビジョン受像器（５８）の地域情報、ユーザの行動の自由度を示す自由度情報、ユーザの傾向を示す傾向情報、及びユーザの人間関係を示す人間関係情報の少なくとも何れかに関連する情報であり、上記制御部（６０）は、予め設定された登録内容に応じて、上記関連情報のうち、上記地域情報、上記自由度情報、上記傾向情報、及び上記人間関係情報の少なくとも何れか一つを含む関連情報を表示する構成としてもよい。
【０１７３】
上記の構成によれば、ユーザが予め設定した登録内容に応じて、地域情報、自由度情報、傾向情報、及び人間関係情報の少なくとも何れかを含む関連情報が表示される。よって、ユーザが希望する種別の関連情報を提供することができ、ユーザにとって有用性の高い情報を提供することができる。
【０１７４】
本発明の態様に係るテレビジョン受像器の受像器制御部、及び情報処理装置は、コンピュータによって実現してもよく、この場合には、コンピュータを上記受像器制御部、及び情報処理装置がそれぞれ備える各部（ソフトウェア要素）として動作させることにより上記受像器制御部、及び情報処理装置をコンピュータにて実現させるテレビジョン受像器の制御プログラム、及び情報処理装置の制御プログラム、およびそれを記録したコンピュータ読み取り可能な記録媒体も、本発明の範疇に入る。
【０１７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１７６】
１０  制御部
１１  関連情報生成部
２０  通信部
３０  記憶部
３４、８６  イベント情報
５０  テレビジョン受像器（表示装置）
５５  受像器通信部
６０  受像器制御部（制御部）
６１  スケジュール登録部
６２  関連情報取得部
６３  表示制御部
６５  表示部
６６  操作部
６７  受像器記憶部
８０  スケジュールサーバ
８１  サーバ通信部
８５  サーバ記憶部
８７  スケジュール情報
９０  サーバ制御部
【図１】
2019193035.tif 000003
【図２】
2019193035.tif 000004
【図３】
2019193035.tif 000005
【図４】
2019193035.tif 000006
【図５】
2019193035.tif 000007
【図６】
2019193035.tif 000008
【図７】
2019193035.tif 000009
【図８】
2019193035.tif 000010
【図９】
2019193035.tif 000011
【図１０】
2019193035.tif 000012
【図１１】
2019193035.tif 000013
【図１２】
2019193035.tif 000014
【図１３】
2019193035.tif 000015